(57)【要約】【課題】死滅させたい特定の水生生物を効率的に全滅させることができる、生物死滅システムを提供する。【解決手段】生物死滅システム１０００は、各種の水生生物が混入している生物混入液体ＣＣＷに音波照射素子１１００で超音波ＵＳＷを照射し、この超音波ＵＳＷを特定の水生生物を死滅させる複数種類に経時的に切り換える。このため、一種類の超音波ＵＳＷを継続的に照射する場合に比較して、死滅させたい特定の水生生物を効率的に全滅させることができる。【選択図】図１
2013223437.tif 000002
【特許請求の範囲】
【請求項１】
各種の水生生物が混入している生物混入液体に超音波を照射する超音波照射手段と、
照射される超音波を特定の前記水生生物を死滅させる複数種類に経時的に切り換える超音波制御手段と、
を有する生物死滅システム。
【請求項２】
前記超音波制御手段は、照射される前記超音波を複数の周波数に経時的に切り換える、請求項１に記載の生物死滅システム。
【請求項３】
前記超音波制御手段は、照射される前記超音波を複数の出力レベルに経時的に切り換える、請求項１または２に記載の生物死滅システム。
【請求項４】
前記超音波制御手段は、照射される前記超音波を複数のパルス幅に経時的に切り換える、請求項１ないし３の何れか一項に記載の生物死滅システム。
【請求項５】
各種の前記水生生物が混入している前記生物混入液体を所定範囲に制限する液体制限手段も有し、
前記超音波照射手段は、前記所定範囲に制限された前記生物混入液体と対向する位置に配置されている、
請求項１ないし４の何れか一項に記載の生物死滅システム。
【請求項６】
前記液体制限手段は、前記生物混入液体が流動する前記所定範囲の液体流路に制限する、請求項５に記載の生物死滅システム。
【請求項７】
前記生物混入液体が前記液体流路を流速Ｖで流動し、
前記超音波照射手段は、前記生物混入液体の流動方向に複数が間隔Ｌで配置されており、
前記超音波制御手段は、Ｌ／Ｖの間隔で前記超音波の周波数を切り換える、
請求項３に記載の生物死滅システム。
【請求項８】
前記液体流路の前記生物混入液体を流動させる液体流動手段も有する、請求項３または７に記載の生物死滅システム。
【請求項９】
前記生物混入液体を各々貯留する第一貯留手段と第二貯留手段とも有しており、
前記液体制限手段は、前記第一貯留手段と前記第二貯留手段とを連通させており、
前記液体流動手段は、前記第一貯留手段と前記第二貯留手段とに貯留されている前記生物混入液体に温度差を発生させて前記液体制限手段の内部を対流させる、
請求項８に記載の生物死滅システム。
【請求項１０】
前記第一貯留手段と前記第二貯留手段とが船舶のバラストタンクからなる、請求項９に記載の生物死滅システム。
【請求項１１】
前記生物混入液体を吸入して冷却に利用する発電プラントの取水部に前記液体制限手段が設置されている、請求項２ないし８の何れか一項に記載の生物死滅システム。
【請求項１２】
死滅させる特定の前記水生生物が外面に付着した処理対象物品が前記生物混入液体中に配置され、
前記超音波照射手段は、前記生物混入液体中の前記処理対象物品の外面に前記超音波を照射する、
請求項１に記載の生物死滅システム。
【請求項１３】
前記超音波照射手段は、前記処理対象物品の外面のサイズと特定の前記水生生物を死滅させる死滅有効範囲とに対応して複数が配列されている、請求項１２に記載の生物死滅システム。
【請求項１４】
前記処理対象物品が前記所定範囲の生物混入液体中を速度Ｖで移動し、
前記超音波照射手段は、前記処理対象物品の移動方向に複数が間隔Ｌで配置されており、
前記超音波制御手段は、Ｌ／Ｖの間隔で前記超音波の周波数を切り換える、
請求項１２または１３に記載の生物死滅システム。
【請求項１５】
前記超音波制御手段は、前記超音波照射手段が照射する前記超音波を幼体の前記水生生物を死滅させる周波数に切り換える、請求項１ないし１４の何れか一項に記載の生物死滅システム。
【発明の詳細な説明】
【技術分野】
【０００１】
本発明は、海水などの生物混入液体に混入している水生生物を死滅させる生物死滅システムに関するものである。
【背景技術】
【０００２】
現在、タンカーなどの大型船舶はバラストタンクが設備されており、例えば、往路ではバラストタンクに原油などを収容し、復路ではバラストタンクに海水を注入してバランスを維持するようなことをしている。しかし、寄港した船舶が、海外で注入した海水を排出すると、海外の水生生物も海水に排出されるので、これが環境問題となる。
【０００３】
また、発電プラントなどでは海水を取水して冷却に利用しているが、その海水に混入している水生生物が冷却系統に付着する。このため、冷却系統に付着した水生生物を除去するメンテナンス作業が必要となっている。さらに、発電プラントは加温した海水を排出することになるので、これに起因して水生生物が異常増殖することも問題となっている。
【０００４】
例えば、海面下の構造物に超音波振動と電場を印加して、そのエネルギの重畳により水生生物の付着を防止する提案がある(例えば、特許文献１参照)。また、停泊した船舶の推進器を収容する容器に超音波振動子を搭載し、超音波振動で水生生物の付着を防止する提案もある(例えば、特許文献２参照)。
【０００５】
さらに、水槽に特定レベルの周波数の超音波を照射し、養殖貝には悪影響を及ぼすことなく、養殖貝に寄生する水生生物を駆除する提案もある(例えば、特許文献３参照)。また、超音波振動器を搭載した円筒形のドラムに海水を注入し、超音波振動により水生生物を除去する提案もある(例えば、特許文献４参照)。
【０００６】
さらに、超音波振動子を設備した空気室とバラストタンクとを有する構造物を海水に水没させ、超音波振動子の位置を調整して水生生物を死滅させる提案もある(例えば、特許文献５参照)。
【０００７】
また、流路を流動する海水に超音波振動子から高密度の超音波を照射して水生生物を死滅させる提案もある(例えば、特許文献６参照)。さらに、機器内の海水に特定周波数の高密度な超音波を照射するとともに、機器も特定周波数で超音波振動させることにより、海水の水生生物を死滅させる提案もある(例えば、特許文献７参照)。
【先行技術文献】
【特許文献】
【０００８】
【特許文献１】国際公開第９９／２５９２９号
【特許文献２】特開２００１−１０６１８０号公報
【特許文献３】実用新案登録第３１０６２０３号公報
【特許文献４】実開昭６１−１８８６２４号公報
【特許文献５】実公昭５５−０２６０３８号公報
【特許文献６】実公昭５５−０２６０３７号公報
【特許文献７】実公昭６０−００６６９４号公報
【発明の概要】
【発明が解決しようとする課題】
【０００９】
しかし、本発明者が実際に特許文献１〜７に開示されている手法を実験したところ、生物混入液体の死滅させたい特定の水生生物を効率的に全滅させることは困難であることが判明した。
【００１０】
本発明は上述のような課題に鑑みてなされたものであり、死滅させたい特定の水生生物を効率的に全滅させることができる、生物死滅システムを提供するものである。
【課題を解決するための手段】
【００１１】
本発明の生物死滅システムでは、各種の水生生物が混入している生物混入液体に超音波を照射する超音波照射手段と、照射される超音波を特定の上記水生生物を死滅させる複数種類に経時的に切り換える超音波制御手段と、を有する。
【００１２】
従って、この生物死滅システムでは、各種の水生生物が混入している生物混入液体に超音波照射手段が超音波を照射し、この照射される超音波を特定の水生生物を死滅させる複数種類に超音波制御手段が経時的に切り換える。このため、生物混入液体に照射される超音波が複数種類に経時的に切り換えられるので、一種類の超音波を継続的に照射する場合に比較して、特定の水生生物が良好に死滅する。
【００１３】
さらに、本発明の生物死滅システムでは、上述した発明の生物死滅システムにおいて、上記超音波制御手段は、照射される上記超音波を複数の周波数に経時的に切り換える。従って、この生物死滅システムでは、生物混入液体に照射される超音波を特定の水生生物を死滅させる複数の周波数に超音波制御手段が経時的に切り換える。このため、生物混入液体に照射される超音波が複数の周波数に経時的に切り換えられるので、特定の周波数の超音波を継続的に照射する場合に比較して、特定の水生生物が良好に死滅する。
【００１４】
さらに、本発明の生物死滅システムでは、上述した発明の生物死滅システムにおいて、上記超音波制御手段は、照射される上記超音波を複数の出力レベルに経時的に切り換える。従って、この生物死滅システムでは、生物混入液体に照射される超音波を特定の水生生物を死滅させる複数の出力レベルに超音波制御手段が経時的に切り換える。このため、生物混入液体に照射される超音波が複数の出力レベルに経時的に切り換えられるので、特定の出力レベルの超音波を継続的に照射する場合に比較して、特定の水生生物が良好に死滅する。
【００１５】
さらに、本発明の生物死滅システムでは、上述した発明の生物死滅システムにおいて、上記超音波制御手段は、照射される上記超音波を複数のパルス幅に経時的に切り換える。
【００１６】
従って、この生物死滅システムでは、生物混入液体に照射される超音波を特定の水生生物を死滅させる複数のパルス幅に超音波制御手段が経時的に切り換える。このため、生物混入液体に照射される超音波が複数のパルス幅に経時的に切り換えられるので、特定の出力レベルの超音波を継続的に照射する場合に比較して、特定の水生生物が良好に死滅する。
【００１７】
さらに、本発明の生物死滅システムでは、上述した発明の生物死滅システムにおいて、各種の上記水生生物が混入している上記生物混入液体を所定範囲に制限する液体制限手段も有し、上記超音波照射手段は、上記所定範囲に制限された上記生物混入液体と対向する位置に配置されている。
【００１８】
従って、この生物死滅システムでは、各種の水生生物が混入している生物混入液体を液体制限手段が所定範囲に制限し、この所定範囲に制限された生物混入液体に超音波照射手段が超音波を照射する。このため、各種の水生生物が混入している生物混入液体が多量に存在しても、これが所定範囲に制限されて超音波が照射される。
【００１９】
さらに、本発明の生物死滅システムでは、上述した発明の生物死滅システムにおいて、上記液体制限手段は、上記生物混入液体が流動する上記所定範囲の液体流路に制限する。
【００２０】
従って、この生物死滅システムでは、液体制限手段が制限する所定範囲の液体流路を生物混入液体が流動する。このため、流動する生物混入液体に超音波照射手段が超音波を照射することができる。
【００２１】
さらに、本発明の生物死滅システムでは、上述した発明の生物死滅システムにおいて、上記生物混入液体が上記液体流路を流速Ｖで流動し、上記超音波照射手段は、上記生物混入液体の流動方向に複数が間隔Ｌで配置されており、上記超音波制御手段は、Ｌ／Ｖの間隔で上記超音波の周波数を切り換える。
【００２２】
従って、この生物死滅システムでは、液体流路を流速Ｖで流動する生物混入液体に、その流動方向に間隔Ｌで配置されている複数の超音波照射手段が超音波を照射し、その超音波の周波数を超音波制御手段がＬ／Ｖの間隔で切り換える。このため、流動する生物混入液体に照射される超音波が、最適な間隔で複数種類に経時的に切り換えられる。
【００２３】
さらに、本発明の生物死滅システムでは、上述した発明の生物死滅システムにおいて、上記液体流路の上記生物混入液体を流動させる液体流動手段も有する。従って、本発明の生物死滅システムでは、液体流路の生物混入液体を液体流動手段が流動させる。
【００２４】
さらに、本発明の生物死滅システムでは、上述した発明の生物死滅システムにおいて、上記生物混入液体を各々貯留する第一貯留手段と第二貯留手段とも有しており、上記液体制限手段は、上記第一貯留手段と上記第二貯留手段とを連通させており、上記液体流動手段は、上記第一貯留手段と上記第二貯留手段とに貯留されている上記生物混入液体に温度差を発生させて上記液体制限手段の内部を対流させる。
【００２５】
従って、この生物死滅システムでは、第一貯留手段と第二貯留手段との各々に貯留されている生物混入液体が液体制限手段で連通されており、第一貯留手段と第二貯留手段とに貯留されている生物混入液体に液体流動手段が温度差を発生させて液体制限手段の内部を対流させる。このため、第一貯留手段と第二貯留手段との各々に貯留されている生物混入液体が温度差により液体制限手段を対流する。
【００２６】
さらに、本発明の生物死滅システムでは、上述した発明の生物死滅システムにおいて、上記第一貯留手段と上記第二貯留手段とが船舶のバラストタンクからなる。従って、本発明の生物死滅システムでは、船舶のバラストタンクに生物混入液体として収容される海水の水生生物が死滅する。
【００２７】
さらに、本発明の生物死滅システムでは、上述した発明の生物死滅システムにおいて、上記生物混入液体を吸入して冷却に利用する発電プラントの取水部に上記液体制限手段が設置されている。従って、本発明の生物死滅システムでは、発電プラントが冷却に利用するために取水部で吸入する生物混入液体に混入している水生生物が死滅される。
【００２８】
さらに、本発明の生物死滅システムでは、上述した発明の生物死滅システムにおいて、死滅させる特定の上記水生生物が外面に付着した処理対象物品が上記生物混入液体中に配置され、上記超音波照射手段は、上記生物混入液体中の上記処理対象物品の外面に上記超音波を照射する。
【００２９】
従って、この生物死滅システムでは、生物混入液体中の処理対象物品の外面に付着した特定の水生生物に、超音波照射手段が超音波を照射する。このため、処理対象物品の外面に付着した特定の水生生物が死滅する。
【００３０】
さらに、本発明の生物死滅システムでは、上述した発明の生物死滅システムにおいて、上記超音波照射手段は、上記処理対象物品の外面のサイズと特定の上記水生生物を死滅させる死滅有効範囲とに対応して複数が配列されている。
【００３１】
従って、この生物死滅システムでは、処理対象物品の外面のサイズと特定の水生生物を死滅させる死滅有効範囲とに対応して複数の超音波照射手段が配列されている。このため、処理対象物品が大型船舶などの場合でも死滅させる水生生物が付着した外面に過不足なく超音波が照射される。
【００３２】
さらに、本発明の生物死滅システムでは、上述した発明の生物死滅システムにおいて、上記処理対象物品が上記所定範囲の生物混入液体中を速度Ｖで移動し、上記超音波照射手段は、上記処理対象物品の移動方向に複数が間隔Ｌで配置されており、上記超音波制御手段は、Ｌ／Ｖの間隔で上記超音波の周波数を切り換える。
【００３３】
従って、この生物死滅システムでは、所定範囲の生物混入液体中を速度Ｖで移動する処理対象物品に、その移動方向に間隔Ｌで配置されている複数の超音波照射手段が超音波を照射し、この超音波の周波数を超音波制御手段がＬ／Ｖの間隔で切り換える。このため、移動する処理対象物品に照射される超音波が、最適な間隔で複数種類に経時的に切り換えられる。
【００３４】
さらに、本発明の生物死滅システムでは、上述した発明の生物死滅システムにおいて、上記超音波制御手段は、上記超音波照射手段が照射する上記超音波を幼体の上記水生生物を死滅させる周波数に切り換える。
【００３５】
従って、この生物死滅システムでは、超音波照射手段が照射する超音波を、幼体の水生生物を死滅させる周波数に超音波制御手段が切り換える。このため、生物混入液体に混入している幼体の水生生物が死滅する。
【００３６】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【発明の効果】
【００３７】
本発明の生物死滅システムでは、生物混入液体に照射される超音波が複数種類に経時的に切り換えられるので、一種類の超音波を継続的に照射する場合に比較して、死滅させたい特定の水生生物を効率的に全滅させることができる。
【図面の簡単な説明】
【００３８】
【図１】本発明の実施の形態の生物死滅システムの要部構造を示す模式的な縦断側面図である。
【図２】本発明の実施の形態の生物死滅システムの超音波制御ユニットの回路構造を示す模式的なブロック図である。
【図３】本発明の実施の形態の、変形例の生物死滅システムの要部構造を示す模式的な縦断正面図である。
【図４】本発明の実施の形態の、他の変形例の生物死滅システムの要部構造を示す模式的な二面図である。
【図５】本発明の実施の形態の、さらに他の変形例の生物死滅システムの要部構造を示す模式図である。
【発明を実施するための形態】
【００３９】
つぎに、本発明の実施の一形態に関して図１および図２を参照して以下に説明する。本実施の形態の生物死滅システム１０００は、図１に示すように、音波照射素子１１００と、液体制限管１２００と、液体流動機構１３００と、流速検出素子１４００と、図２に示すように、超音波制御ユニット１５００と、を有する。
【００４０】
音波照射素子１１００は、各種の水生生物(図示せず)が混入している海水などの生物混入液体ＣＣＷに超音波ＵＳＷを照射する。液体制限管１２００は、中空の所定内径の円管などからなり、各種の水生生物が混入している生物混入液体ＣＣＷを所定範囲の液体流路に制限する。
【００４１】
液体流動機構１３００は、液体制限管１２００の一端に連結されたポンプ機構などからなり、液体流路の生物混入液体ＣＣＷを流動させる。超音波制御ユニット１５００は、照射される超音波ＵＳＷを特定の水生生物を死滅させる複数の周波数に経時的に切り換える。
【００４２】
より詳細には、音波照射素子１１００は、複数が用意されており、図１に示すように、液体制限管１２００の内面に間隔Ｌで配置されている。液体制限管１２００は、例えば、液体流動機構１３００とともに船舶のバラストタンクの内部などに設置されている(図示せず)。液体流動機構１３００は、液体制限管１２００の液体流路の生物混入液体ＣＣＷを流速Ｖで流動させる。
【００４３】
超音波制御ユニット１５００は、図２に示すように、ＣＰＵ(Central Processing Unit)１５１０、操作手段１５２０、表示手段１５３０、ＶＣＯ(Voltage Controlled Oscillator)１５４０、ドライバ回路１５５０、複数の素子接続コネクタ１５６０、速計接続コネクタ１５７０、等からなる。
【００４４】
操作手段１５２０は、いわゆるキーボードやマウスなどからなり、詳細には後述するが、超音波周波数、周波数切換時間、周波数自動切換、等の設定データなどが入力操作される。表示手段１５３０は、いわゆるディスプレイユニットからなり、上述のような各種データなどを表示出力する。複数の素子接続コネクタ１５６０には、複数の音波照射素子１１００が個々に接続され、速計接続コネクタ１５７０には、流速検出素子１４００が接続される。
【００４５】
ＣＰＵ１５１０は、操作手段１５２０と流速検出素子１４００との入力データに対応して表示手段１５３０に各種データを表示出力するとともに、音波照射素子１１００に超音波ＵＳＷを照射させる音波信号をＶＣＯ１５４０に出力する。
【００４６】
このため、ＣＰＵ１５１０には、時間算出回路１５１１、時間設定レジスタ１５１２、周波数設定回路１５１３、ＤＡＣ(Digital/Analog Converter)１５１５、等が内蔵されている。
【００４７】
時間算出回路１５１１は、流速検出素子１４００の検出信号から生物混入液体ＣＣＷの流速Ｖを検出し、周波数自動切換が設定された場合の周波数切換時間を算出する。時間設定レジスタ１５１２は、操作手段１５２０で手動入力された周波数切換時間か、時間算出回路１５１１で算出された周波数切換時間か、を記憶する。
【００４８】
周波数設定回路１５１３は、操作手段１５２０で手動入力された複数の超音波の周波数がデジタル信号として設定される。このような複数の超音波の周波数は、例えば、１Ｍ、３Ｍ、５Ｍ、などからなる。
【００４９】
さらに、周波数設定回路１５１３は、上述のような複数の超音波ＵＳＷの周波数のデジタル信号を、時間設定レジスタ１５１２に記憶された周波数切換時間ごとに、切換出力する。
【００５０】
ＤＡＣ１５１５は、周波数設定回路１５１３からデジタル出力される複数の周波数をアナログ信号に変換する。ドライバ回路１５５０は、アナログ信号からなる複数の周波数を音波照射素子１１００に出力させる。
【００５１】
上述のような構成において、本実施の形態の生物死滅システム１０００では、船舶のバラストに収容された海水などの、各種の水生生物が混入している生物混入液体ＣＣＷを、液体流動機構１３００が吸入して液体制限管１２００の液体流路に流速Ｖで流動させる。
【００５２】
このとき、この生物混入液体ＣＣＷの流速Ｖが流速検出素子１４００で検出されて超音波制御ユニット１５００のＣＰＵ１５１０に入力される。このＣＰＵ１５１０では、例えば、操作手段１５２０で事前に周波数自動切換が設定されていた場合には、流速Ｖに対応して周波数切換時間を算出する。
【００５３】
このとき、ＣＰＵ１５１０は、Ｌ／Ｖの間隔となるように超音波ＵＳＷの周波数切換時間を算出する。また、ＣＰＵ１５１０には、操作手段１５２０で事前に複数の周波数が設定されるので、その複数の周波数がデジタル信号として周波数切換時間ごとにＶＣＯ１５４０に切換出力される。
【００５４】
このＶＣＯ１５４０は、ドライバ回路１５５０に複数の周波数をアナログ信号として周波数切換時間ごとに切換出力するので、このドライバ回路１５５０は、音波照射素子１１００に、Ｌ／Ｖの間隔で複数の周波数が切り換えられる超音波ＵＳＷを出力させる。
【００５５】
本発明者は、上述のように死滅させたい特定の水生生物に照射する超音波ＵＳＷを複数の周波数に切り換えることで、一定の周波数の超音波ＵＳＷを継続的に照射する場合に比較して、死滅させたい特定の水生生物を効率的に死滅できることを発見した。
【００５６】
そこで、本実施の形態の生物死滅システム１０００では、生物混入液体ＣＣＷに照射される超音波ＵＳＷが複数の周波数に経時的に切り換えられる。このため、特定の周波数の超音波ＵＳＷを継続的に照射する場合に比較して、生物混入液体ＣＣＷに混入している死滅させたい特定の水生生物を効率的に全滅させることができる。
【００５７】
特に、この生物死滅システム１０００では、各種の水生生物が混入している生物混入液体ＣＣＷを液体制限管１２００が所定範囲の液体流路に制限し、この液体流路に制限された生物混入液体ＣＣＷに音波照射素子１１００が超音波ＵＳＷを照射する。このため、各種の水生生物が混入している生物混入液体ＣＣＷが多量に存在しても、これを所定範囲の液体流路に制限して超音波ＵＳＷを照射することができる。
【００５８】
しかも、液体流動機構１３００が生物混入液体ＣＣＷを液体制限管１２００の液体流路に流動させる。このため、流動する生物混入液体ＣＣＷに音波照射素子１１００が超音波ＵＳＷを照射することができる。
【００５９】
特に、複数の音波照射素子１１００が生物混入液体ＣＣＷの流動方向に間隔Ｌで配置されており、生物混入液体ＣＣＷが液体流路を流速Ｖで流動し、超音波制御ユニット１５００がＬ／Ｖの間隔で超音波ＵＳＷの周波数を切り換える。
【００６０】
従って、この生物死滅システム１０００では、流動する生物混入液体ＣＣＷに照射される超音波ＵＳＷが、最適な間隔で複数の周波数に経時的に切り換えられる。なお、このような超音波ＵＳＷの複数の周波数の切り替えは、例えば、“１Ｍ→３Ｍ→５Ｍ→１Ｍ→３Ｍ→５Ｍ→１Ｍ…”のように繰り返し実行される。
【００６１】
さらに、本実施の形態の生物死滅システム１０００では、前述のように船舶のバラストタンクに設置することで、バラスト水からなる生物混入液体ＣＣＷの水生生物を死滅させることができる。このため、船舶がバラスト水を出し入れすることに起因する環境問題の解決に寄与することができる。
【００６２】
なお、本実施の形態の生物死滅システム１０００では、操作手段１５２０で周波数切換時間を手動設定することもでき、その場合、手動設定された切換時間で超音波ＵＳＷの複数の周波数が切り換えられる。
【００６３】
また、本実施の形態の生物死滅システム１０００において、音波照射素子１１００が照射する超音波ＵＳＷを、超音波制御ユニット１５００で幼体の水生生物を死滅させる周波数に切り換えることもできる。
【００６４】
この場合、生物混入液体ＣＣＷに混入している幼体の水生生物が死滅する。このため、その水生生物は成体となることなく死滅する。また、幼体の水生生物が死滅するので、これを捕食する特定の成体の水生生物も死滅する。
【００６５】
なお、本発明は本実施の形態に限定されるものではなく、その要旨を逸脱しない範囲で各種の変形を許容する。例えば、上記形態では生物死滅システム１０００の音波照射素子１１００が固定されていることを例示した。
【００６６】
しかし、このような音波照射素子１１００を自走させてもよく、懸架することで自然に揺動させてもよい(図示せず)。これらの場合、音波照射素子１１００が照射する超音波ＵＳＷの有効範囲を拡大することができる。
【００６７】
また、上記形態では超音波制御ユニット１５００が、生物混入液体ＣＣＷに照射される超音波ＵＳＷを複数の周波数に経時的に切り換えることを例示した。しかし、このような超音波ＵＳＷ制御ユニット１５００が、生物混入液体ＣＣＷに照射される超音波ＵＳＷを複数の出力レベル(振幅)に経時的に切り換えてもよい。
【００６８】
この場合も、特定の出力レベルの超音波ＵＳＷを継続的に照射する場合に比較して、生物混入液体ＣＣＷに混入している死滅させたい特定の水生生物を効率的に全滅させることができる。
【００６９】
さらに、超音波ＵＳＷ制御ユニット１５００が、生物混入液体ＣＣＷに照射される超音波ＵＳＷを複数のパルス幅(デューティ比)に経時的に切り換えてもよい。この場合も、特定のパルス幅の超音波ＵＳＷを継続的に照射する場合に比較して、生物混入液体ＣＣＷに混入している死滅させたい特定の水生生物を効率的に全滅させることができる。
【００７０】
さらに、上記形態では生物死滅システム１０００の音波照射素子１１００と液体流動機構１３００とが設置されている液体制限管１２００を、船舶のバラストタンクに設置することを想定した。しかし、このような生物死滅システム１０００を、特定用途の水槽(図示せず)などに設置してもよい。
【００７１】
また、上記形態では液体制限管１２００の液体流路の生物混入液体ＣＣＷを液体流動機構１３００で強制的に流動させることを例示した。しかし、例えば、河川などのように生物混入液体ＣＣＷが流動している場所に、液体制限管１２００を設置する場合には、液体流動機構１３００を省略してもよい。
【００７２】
さらに、図３に例示する生物死滅システム２０００のように、船舶ＳＩＰのバラストタンクを、生物混入液体ＣＣＷを各々貯留する第一貯留手段である第一バラストタンク２０１０と第二貯留手段である第二バラストタンク２０２０とに区分しておき、液体制限管１２００が、第一バラストタンク２０１０と第二バラストタンク２０２０とを連通させており、液体流動機構(図示せず)は、第一バラストタンク２０１０と第二バラストタンク２０２０とに貯留されている生物混入液体ＣＣＷに温度差を発生させて液体制限管１２００の内部を対流させてもよい。
【００７３】
この生物死滅システム２０００では、第一バラストタンク２０１０と第二バラストタンク２０２０との各々に貯留されている生物混入液体ＣＣＷが液体制限管１２００で連通されている。
【００７４】
そして、第一バラストタンク２０１０と第二バラストタンク２０２０とに貯留されている生物混入液体ＣＣＷに液体流動機構１３００が温度差を発生させて液体制限管１２００の内部を対流させる。
【００７５】
このため、第一バラストタンク２０１０と第二バラストタンク２０２０との各々に貯留されている生物混入液体ＣＣＷが温度差により液体制限管１２００を対流する。このため、前述のようにポンプ機構などからなる液体流動機構１３００で生物混入液体ＣＣＷを液体制限管１２００に流動させる場合に比較して、エネルギ効率を向上させることができる。
【００７６】
また、図４に例示する生物死滅システム３０００のように、死滅させる特定の水生生物(図示せず)が外面に付着した処理対象物品である船舶ＳＩＰが生物混入液体ＣＣＷ中に配置され、音波照射素子１１００は、生物混入液体ＣＣＷ中の船舶ＳＩＰの外面に超音波ＵＳＷを照射する。
【００７７】
この生物死滅システム３０００では、生物混入液体ＣＣＷは所定範囲の船舶水路ＳＷＲに制限されており、この船舶水路ＳＷＲの底面と内側面とに複数の音波照射素子１１００が設置されている。ただし、音波照射素子１１００は、船舶ＳＩＰの外面のサイズと特定の水生生物を死滅させる死滅有効範囲とに対応して複数が配列されている。
【００７８】
従って、この生物死滅システム３０００では、生物混入液体ＣＣＷ中の船舶ＳＩＰの外面に付着した特定の水生生物に、音波照射素子１１００が超音波ＵＳＷを照射する。このため、船舶ＳＩＰの外面に付着した特定の水生生物が死滅する。
【００７９】
特に、船舶ＳＩＰの外面のサイズと特定の水生生物を死滅させる死滅有効範囲とに対応して、複数の音波照射素子１１００が配列されているので、船舶ＳＩＰが大型船舶などの場合でも死滅させる水生生物が付着した外面に過不足なく超音波ＵＳＷを照射することができる。
【００８０】
なお、ここでは船舶水路ＳＷＲに停泊している船舶ＳＩＰを生物死滅システム３０００で処理することを想定した。しかし、このような船舶水路ＳＷＲを船舶ＳＩＰが航行してもよい。
【００８１】
この場合、船舶ＳＩＰが船舶水路ＳＷＲの生物混入液体ＣＣＷ中を速度Ｖで移動するならば、複数の音波照射素子１１００を船舶ＳＩＰの移動方向に間隔Ｌで配置しておき、超音波制御ユニット(図示せず)がＬ／Ｖの間隔で超音波ＵＳＷの周波数を切り換えればよい。
【００８２】
このような生物死滅システム３０００では、船舶水路ＳＷＲの生物混入液体ＣＣＷ中を速度Ｖで移動する船舶ＳＩＰに、その移動方向に間隔Ｌで配置されている複数の音波照射素子１１００が超音波ＵＳＷを照射し、この超音波ＵＳＷの周波数を超音波制御ユニット１５００がＬ／Ｖの間隔で切り換える。このため、移動する船舶ＳＩＰに照射される超音波ＵＳＷが、最適な間隔で複数の周波数に経時的に切り換えられる。
【００８３】
また、図５に例示する生物死滅システム４０００のように、海水からなる生物混入液体ＣＣＷを吸入して冷却に利用する発電プラントＥＧＰの取水部ＦＷＵに液体制限管１２００を設置してもよい。
【００８４】
このような生物死滅システム１０００では、発電プラントＥＧＰが冷却に利用するために、取水部ＦＷＵで吸入する海水からなる生物混入液体ＣＣＷに混入している水生生物(図示せず)を死滅させることができる。
【００８５】
このため、発電プラントＥＧＰの冷却系統(図示せず)に付着する水生生物を除去するメンテナンス作業を軽減することができ、発電プラントＥＧＰが海水を加温して排出することに起因する水生生物の異常増殖を抑制することができる。
【００８６】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【００８７】
１０００  生物死滅システム
１１００  音波照射素子
１２００  液体制限管
１３００  液体流動機構
１４００  流速検出素子
１５００  超音波制御ユニット
２０００  生物死滅システム
２０１０  第一バラストタンク
２０２０  第二バラストタンク
３０００  生物死滅システム
４０００  生物死滅システム
【図１】
2013223437.tif 000003
【図２】
2013223437.tif 000004
【図３】
2013223437.tif 000005
【図４】
2013223437.tif 000006
【図５】
2013223437.tif 000007